(57)【要約】【課題】  複数の方式の著作権情報を含むデータから著作権情報を検出する場合に、検出のための演算量を削減する。【解決手段】  復号化装置として、入力された符号化データを復号化する復号部と、出力制御信号に従って、前記復号部で復号化されたデータを出力する出力部と、前記復号部で復号化されたデータから、それぞれ異なる方式の著作権情報を検出して出力するための複数の著作権情報検出部と、前記複数の著作権情報検出部のうちの少なくとも１つで検出された著作権情報に応じて前記出力制御信号を出力する出力制御部と、前記複数の著作権情報検出部のうちの少なくとも１つは、著作権情報を検出するために割り当てられた演算量から所定の演算量を減じた演算量以上を要する処理を行わないように、前記複数の著作権情報検出部に対して制御を行う検出制御部とを備える。【選択図】      図１
2007047873.tif 000002
【特許請求の範囲】
【請求項１】
入力された符号化データを復号化する復号部と、
出力制御信号に従って、前記復号部で復号化されたデータを出力する出力部と、
前記復号部で復号化されたデータから、それぞれ異なる方式の著作権情報を検出して出力するための複数の著作権情報検出部と、
前記複数の著作権情報検出部のうちの少なくとも１つで検出された著作権情報に応じて前記出力制御信号を出力する出力制御部と、
前記複数の著作権情報検出部のうちの少なくとも１つは、著作権情報を検出するために割り当てられた演算量から所定の演算量を減じた演算量以上を要する処理を行わないように、前記複数の著作権情報検出部に対して制御を行う検出制御部とを備える
復号化装置。
【請求項２】
請求項１に記載の復号化装置において、
前記検出制御部は、
前記複数の著作権情報検出部のうち、少なくとも１つを常に動作させておき、動作させておいた著作権情報検出部のうちの少なくとも１つの検出処理の状況に応じて、動作させておかなかった著作権情報検出部に検出処理を行わせるものである
ことを特徴とする復号化装置。
【請求項３】
請求項２に記載の復号化装置において、
前記検出制御部は、
前記動作させておいた著作権情報検出部のうちの少なくとも１つが著作権情報の検出に要した演算量が所定値以下である場合には、前記動作させておかなかった著作権情報検出部に検出処理を行わせるものである
ことを特徴とする復号化装置。
【請求項４】
請求項１に記載の復号化装置において、
前記検出制御部は、
前記複数の著作権情報検出部のうちの少なくとも１つに対しては簡易演算を行うように、残りの著作権情報検出部に対しては通常の動作をするように、制御を行うものである
ことを特徴とする復号化装置。
【請求項５】
請求項１に記載の復号化装置において、
前記検出制御部は、
前記複数の著作権情報検出部に対して、１つずつ時分割で動作するように制御を行うものである
ことを特徴とする復号化装置。
【請求項６】
請求項１に記載の復号化装置において、
前記復号部で復号化されたデータの特徴を検出する信号解析部を更に備え、
前記検出制御部は、
前記信号解析部で検出された特徴に応じて、前記複数の著作権情報検出部に対して動作の制御を行うものである
ことを特徴とする復号化装置。
【請求項７】
請求項６に記載の復号化装置において、
前記信号解析部は、
前記復号化されたデータのダイナミックレンジの広さを前記特徴として検出するものである
ことを特徴とする復号化装置。
【請求項８】
請求項６に記載の復号化装置において、
前記信号解析部は、
前記復号化されたデータの無音区間の長さ又は数を前記特徴として検出するものである
ことを特徴とする復号化装置。
【請求項９】
請求項６に記載の復号化装置において、
前記信号解析部は、
前記復号化されたデータのうち、所定のチャンネルのデータが表す信号の振幅を前記特徴として検出するものである
ことを特徴とする復号化装置。
【請求項１０】
請求項１に記載の復号化装置において、
入力された符号化データを前記復号部に出力し、かつ、前記符号化データから符号化に関する情報を抽出して出力する入力部を更に備え、
前記検出制御部は、
前記入力部で抽出された符号化に関する情報に応じて、前記複数の著作権情報検出部に対して動作の制御を行うものである
ことを特徴とする復号化装置。
【請求項１１】
請求項１０に記載の復号化装置において、
前記入力部は、
音声符号化方式についての情報を前記符号化に関する情報として抽出するものである
ことを特徴とする復号化装置。
【請求項１２】
請求項１０に記載の復号化装置において、
前記入力部は、
前記符号化データのビットレートについての情報を前記符号化に関する情報として抽出するものである
ことを特徴とする復号化装置。
【請求項１３】
請求項１０に記載の復号化装置において、
前記入力部は、
画像符号化方式についての情報を前記符号化に関する情報として抽出するものである
ことを特徴とする復号化装置。
【発明の詳細な説明】
【技術分野】
【０００１】
本発明は、符号化された画像データや音声データを復号化する復号化装置に関し、特に、著作権保護技術に関する。
【背景技術】
【０００２】
デジタル化された画像データや音声データは、通常、高能率符号化処理により情報量が削減され、その後、多重化されて記録媒体への記録や伝送が行われる。記録媒体の主な例としては、ＤＶＤ（Digital Versatile Disc）が挙げられる。伝送の主な例としては、デジタルテレビやインターネットでの配信が挙げられる。
【０００３】
画像データは、主にＭＰＥＧ−２（Moving Picture Experts Group-2）やＭＰＥＧ−４方式等によって符号化され、音声データは、主にＤｏｌｂｙ  Ｄｉｇｉｔａｌ（登録商標）、ＤＴＳ（Digltal Theater Systems）（登録商標）、ＭＰＥＧ  Ａｕｄｉｏ、ＰＣＭ（Pulse Code Modulation）方式等によって符号化される。
【０００４】
これらの符号化方式で符号化された音声データを、以下では符号化音声データと称することとする。符号化音声データとして、複数チャンネルの音声データが符号化されていることが多い。
【０００５】
画像や音声をデジタルデータ化すると、記録や伝送を行う際の利便性が高くなる一方、劣化することなく複製することができるようになるので、著作権の侵害が問題となる。この問題に対処するため、画像データや音声データに著作権情報を埋め込む技術が開発されている。技術の詳細は省略するが、例えばＤＶＤ−Ａｕｄｉｏ等ではすでにこのような技術が採用されている。
【０００６】
今後、コンテンツの特性に合わせて、複数の種類の著作権保護技術が採用される可能性がある。その場合、複数コンテンツを記録できるメディアを再生する時には、複数方式の著作権情報を検出する必要がある。
【０００７】
例えば、２種類の画像用の著作権情報を検出する技術については、特許文献１に開示されている。
【特許文献１】国際公開第２００２／０６５７８３号パンフレット
【発明の開示】
【発明が解決しようとする課題】
【０００８】
しかしながら、前記特許文献１では、２種類の著作権情報がともに画像用であるという点を生かし、処理の共通化を行っている。今後開発される技術は、従来の技術と共通部分が存在するとは限らず、複数方式の著作権情報を検出するためには、複数の著作権情報検出器を同時に動作させる必要がある可能性があり、検出に必要な演算量の増大を招く可能性がある。
【０００９】
本発明は、複数の方式の著作権情報を含むデータから著作権情報を検出する場合に、検出のための演算量を削減することを目的とする。
【課題を解決するための手段】
【００１０】
本発明は、復号化装置として、入力された符号化データを復号化する復号部と、出力制御信号に従って、前記復号部で復号化されたデータを出力する出力部と、前記復号部で復号化されたデータから、それぞれ異なる方式の著作権情報を検出して出力するための複数の著作権情報検出部と、前記複数の著作権情報検出部のうちの少なくとも１つで検出された著作権情報に応じて前記出力制御信号を出力する出力制御部と、前記複数の著作権情報検出部のうちの少なくとも１つは、著作権情報を検出するために割り当てられた演算量から所定の演算量を減じた演算量以上を要する処理を行わないように、前記複数の著作権情報検出部に対して制御を行う検出制御部とを備えるものである。
【００１１】
これによると、複数の著作権情報検出部の全てが著作権情報を検出するための通常の動作を行うことがないので、複数の方式の著作権情報を含むデータから著作権情報を検出する場合に、検出のための演算量を削減することができる。
【発明の効果】
【００１２】
以上のように、本発明によると、著作権情報の検出のための演算量を削減することができる。したがって、データ処理のために必要な処理能力を抑えることができる。
【発明を実施するための最良の形態】
【００１３】
以下、本発明の実施の形態について、図面を参照しながら説明する。
【００１４】
（第１の実施形態）
図１は、本発明の第１の実施形態に係る復号化装置のブロック図である。図１の復号化装置は、入力部１２と、復号部１４と、出力部１６と、検出制御部２２と、第１の著作権情報検出部２４と、第２の著作権情報検出部２６と、出力制御部２８とを備えている。図１の復号化装置は、例えば、音声用ウォーターマーク検出機能付ＤＶＤプレーヤーに用いられる。
【００１５】
図１の復号化装置は、複数の著作権情報検出部のうち、少なくとも１つを常に動作させておき、動作させておいた著作権情報検出部のうちの少なくとも１つの検出処理の状況に応じて、動作させておかなかった著作権情報検出部に検出処理を行わせるものである。
【００１６】
入力部１２には、例えばＤＶＤから読み出されたコンテンツのデータＲＤが入力されている。このデータＲＤには、符号化された画像及び音声のデータが多重化されている。データＲＤの符号化音声データには、第１及び第２の方式の著作権情報が埋め込まれている。入力部１２は、入力されたデータＲＤを符号化画像データと符号化音声データとに分離して、復号部１４に出力する。
【００１７】
復号部１４は、符号化画像データ及び符号化音声データをＭＰＥＧ−２方式等によって復号化し、得られた復号化された画像データ及び音声データを、出力部１６並びに第１及び第２の著作権情報検出部２４，２６に出力する。出力部１６は、復号化された画像データ及び音声データを、出力制御部２８から出力された出力制御信号ＣＳに従って出力する。
【００１８】
第１の著作権情報検出部２４は、復号化された音声データに埋め込まれた第１の方式の著作権情報を検出し、検出された著作権情報と、検出に要した演算量とを出力制御部２８に出力する。検出制御部２２は、第１の著作権情報検出部２４で求められた演算量が所定の値よりも小さい場合には、第２の著作権情報検出部２６に著作権情報の検出処理を行わせる。
【００１９】
例えば、第１の著作権情報検出部２４が、これに割り当てられている演算量から、第２の著作権情報検出部２６に必要な演算量を減じた演算量以上を要する処理を行っていない場合、言い換えると、第１の著作権情報検出部２４に割り当てられている演算量から、第１の著作権情報検出部２４で求められた演算量を減算した結果が、第２の著作権情報検出部２６に必要な演算量より大きい場合には、検出制御部２２は、第２の著作権情報検出部２６に著作権情報の検出処理を行わせる。
【００２０】
第２の著作権情報検出部２６は、検出制御部２２の制御に従って、復号化された音声データに埋め込まれた第２の方式の著作権情報を検出し、検出された著作権情報を出力制御部２８に出力する。
【００２１】
出力制御部２８は、第１及び第２の著作権情報検出部２４，２６の出力に従って、出力部１６の出力処理を制御する出力制御信号ＣＳを生成して出力する。特に、出力制御部２８は、検出された第１及び第２の著作権情報のうちの少なくとも１つに基づいて、再生中のコンテンツが不正なコンテンツであると判定した場合には、出力部１６の出力を停止させるように、出力制御信号ＣＳを出力する。その他の場合には、出力制御部２８は、出力部１６の出力を許可するように、出力制御信号ＣＳを出力する。
【００２２】
図２は、図１の第１及び第２の著作権情報検出部２４，２６が著作権情報を検出する処理を行う期間を示す説明図である。図２においては、長さが所定の時間ｍである期間毎に検出処理の有無を示しているが、復号化されたデータの所定のサンプル数毎に期間を区切るようにしてもよい。以下の図においても同様である。
【００２３】
時刻ｔ＝ｍからｔ＝３ｍまでにおいては、第１の著作権情報検出部２４が著作権情報の検出処理を行っており、検出に要した演算量が所定値を越えているので、検出制御部２２は、第２の著作権情報検出部２６に著作権情報の検出処理を行わせない。
【００２４】
時刻ｔ＝３ｍからｔ＝４ｍまでにおいては、第１の著作権情報検出部２４が著作権情報の検出処理を行っているが、検出に要した演算量が小さく、所定値を越えていないので、検出制御部２２は、第２の著作権情報検出部２６に著作権情報の検出処理を行わせる。時刻ｔ＝４ｍからｔ＝６ｍまでについては、時刻ｔ＝ｍからｔ＝３ｍまでと同様である。
【００２５】
以上のように、図１の復号化装置によると、２つの著作権情報検出部を常に動作させる必要がないので、演算量を抑えながら、２つの方式の著作権情報を検出することができる。
【００２６】
なお、出力制御部２８と検出制御部２２とを備えるものとして説明したが、これらを１つの制御部として実現してもよい。
【００２７】
（第２の実施形態）
図３は、本発明の第２の実施形態に係る復号化装置のブロック図である。図３の復号化装置は、図１の復号化装置において、検出制御部２２、第１の著作権情報検出部２４、及び第２の著作権情報検出部２６に代えて、検出制御部２２２、第１の著作権情報検出部２２４、及び第２の著作権情報検出部２２６をそれぞれ備えるようにしたものである。図１を参照して説明した構成要素には、同一の参照番号を付してその説明を省略する。
【００２８】
図３の復号化装置は、複数の著作権情報検出部のうちの１つの検出処理の方法を変更し、その際、残りの著作権情報検出部にも検出処理を行わせるものである。
【００２９】
図３の第１の著作権情報検出部２２４は、検出制御部２２２の制御に従って、復号化された音声データに埋め込まれた第１の方式の著作権情報を検出し、検出された著作権情報を出力制御部２８に出力する。第２の著作権情報検出部２２６は、検出制御部２２２の制御に従って、復号化された音声データに埋め込まれた第２の方式の著作権情報を検出し、検出された著作権情報を出力制御部２８に出力する。
【００３０】
検出制御部２２２は、第１の著作権情報検出部２２４を一定期間のみ動作させ、第１の著作権情報検出部２２４を動作させる期間には、第２の著作権情報検出部２２６に最低限必要な動作のみをさせ、著作権情報の簡易検出を行わせる。簡易検出に必要な演算量は、第２の著作権情報検出部２６に割り当てられている演算量から第１の著作権情報検出部２４に必要な演算量を減じた演算量に満たないとする。出力制御部２８は、第１及び第２の著作権情報検出部２２４，２２６の出力に従って出力制御信号ＣＳを生成する点の他は、図１の復号化装置の場合と同様である。
【００３１】
図４は、図３の第１及び第２の著作権情報検出部２２４，２２６が著作権情報を検出する処理を行う期間を示す説明図である。
【００３２】
時刻ｔ＝ｍからｔ＝３ｍまでにおいては、検出制御部２２２は、第１の著作権情報検出部２２４に著作権情報の検出処理を行わせず、第２の著作権情報検出部２２６に著作権情報の検出処理を行わせる。
【００３３】
時刻ｔ＝３ｍからｔ＝４ｍまでにおいては、検出制御部２２２は、第１の著作権情報検出部２２４に著作権情報の検出処理を行わせる。この期間においては、検出制御部２２２は、第２の著作権情報検出部２２６に著作権情報の検出処理を行わせるが、検出処理の方法を変更させて、簡易検出を行わせる。簡易検出としては、例えば、演算ビット精度を変更して検出処理を行うようにしてもよいし、処理の一部を省いてもよく、演算量を削減できるような処理であればよい。時刻ｔ＝４ｍからｔ＝６ｍまでについては、時刻ｔ＝ｍからｔ＝３ｍまでと同様である。
【００３４】
以上のように、図３の復号化装置によっても、２つの著作権情報検出部を常に動作させる必要がないので、演算量を抑えながら、２つの方式の著作権情報を検出することができる。
【００３５】
なお、出力制御部２２８と検出制御部２２２とを備えるものとして説明したが、これらを１つの制御部として実現してもよい。
【００３６】
（第３の実施形態）
図５は、本発明の第３の実施形態に係る復号化装置のブロック図である。図５の復号化装置は、図１の復号化装置において、検出制御部２２、第１の著作権情報検出部２４、及び第２の著作権情報検出部２６に代えて、検出制御部３２２、第１の著作権情報検出部３２４、及び第２の著作権情報検出部３２６をそれぞれ備えるようにしたものである。図１を参照して説明した構成要素には、同一の参照番号を付してその説明を省略する。
【００３７】
図５の復号化装置は、複数の著作権情報検出部を時分割で動作させるものであり、特に、第１の著作権情報検出部３２４と第２の著作権情報検出部３２６とに交互に著作権情報の検出処理を行わせるものである。
【００３８】
図５の第１の著作権情報検出部３２４は、検出制御部３２２の制御に従って、復号化された音声データに埋め込まれた第１の方式の著作権情報を検出し、検出された著作権情報を出力制御部２８に出力する。第２の著作権情報検出部３２６は、検出制御部３２２の制御に従って、復号化された音声データに埋め込まれた第２の方式の著作権情報を検出し、検出された著作権情報を出力制御部２８に出力する。
【００３９】
検出制御部３２２は、第１の著作権情報検出部３２４を一定期間動作させ、その後、第２の著作権情報検出部３２６を一定期間動作させることを繰り返す。出力制御部２８は、第１及び第２の著作権情報検出部３２４，３２６の出力に従って出力制御信号ＣＳを生成する点の他は、図１の復号化装置の場合と同様である。
【００４０】
図６は、図５の第１及び第２の著作権情報検出部３２４，３２６が著作権情報を検出する処理を行う期間を示す説明図である。
【００４１】
時刻ｔ＝ｍからｔ＝３ｍまでにおいては、検出制御部３２２は、第１の著作権情報検出部２２４に著作権情報の検出処理を行わせ、第２の著作権情報検出部３２６に著作権情報の検出処理を行わせない。
【００４２】
時刻ｔ＝３ｍからｔ＝５ｍまでにおいては、検出制御部３２２は、第１の著作権情報検出部３２４に著作権情報の検出処理を行わせず、第２の著作権情報検出部３２６に著作権情報の検出処理を行わせる。時刻ｔ＝５ｍ以降においては、以上の動作を繰り返す。
【００４３】
以上のように、図５の復号化装置によっても、２つの著作権情報検出部を常に動作させる必要がないので、演算量を抑えながら、２つの方式の著作権情報を検出することができる。
【００４４】
なお、出力制御部３２８と検出制御部３２２とを備えるものとして説明したが、これらを１つの制御部として実現してもよい。
【００４５】
（第４の実施形態）
図７は、本発明の第４の実施形態に係る復号化装置のブロック図である。図７の復号化装置は、図１の復号化装置において、入力部１２、検出制御部２２、第１の著作権情報検出部２４、及び第２の著作権情報検出部２６に代えて、入力部４１２、検出制御部４２２、第１の著作権情報検出部４２４、及び第２の著作権情報検出部４２６をそれぞれ備えるようにし、信号解析部４３２を更に備えたものである。図１を参照して説明した構成要素には、同一の参照番号を付してその説明を省略する。
【００４６】
図７の復号化装置は、復号化された画像データ若しくは音声データの特徴、又は符号化画像データ若しくは符号化音声データから得られた符号化に関する情報に応じて、複数の著作権情報検出部に対して動作の制御を行うものである。
【００４７】
図７の入力部４１２は、入力されたデータＲＤを符号化画像データと符号化音声データとに分離して、復号部１４に出力する他、符号化画像データ又は符号化音声データから符号化に関する情報を抽出して、検出制御部４２２に出力する。信号解析部４３２は、復号部１４で復号化された画像データ又は音声データの特徴を、信号解析を行って検出して、コンテンツの種類を判定し、その結果を検出制御部４２２に出力する。
【００４８】
第１及び第２の著作権情報検出部４２４，４２６は、検出制御部３２２に代えて検出制御部４２２の制御に従って動作する点の他は、図５の第１及び第２の著作権情報検出部３２４，３２６とそれぞれ同様に動作する。
【００４９】
信号解析部４３２は、例えば、音声データのダイナミックレンジの広さを、復号化されたデータの特徴として検出する。広いダイナミックレンジが連続する信号であれば、信号解析部４３２は、その音声データのコンテンツは音楽コンテンツであると判定する。
【００５０】
また、信号解析部４３２は、音声データの無音区間の長さや無音区間の数の検出を行ってもよい。信号解析部４３２は、無音区間が多い信号であれば、その音声データのコンテンツは映画コンテンツであると判断し、逆に無音区間が少ない信号であれば、音楽コンテンツであると判定する。
【００５１】
また、信号解析部４３２は、サラウンドチャンネルのデータが表す信号の振幅を検出してもよい。サラウンドチャンネルにおいて一定レベルの振幅が連続していれば、信号解析部４３２は、その音声データのコンテンツは音楽コンテンツであると判定する。
【００５２】
検出制御部４２２が、入力部４１２からの情報を受けて、入力されたデータのコンテンツの種類を判定してもよい。例えば、入力部４１２は、音声符号化方式についての情報を抽出し、検出制御部４２２は、この情報によってコンテンツの種類を判定する。映画コンテンツと音楽コンテンツとで、符号化に用いる符号化方式が異なる場合に有効である。
【００５３】
また、入力部４１２は、符号化音声データ又は符号化画像データのビットレートについての情報を抽出し、検出制御部４２２は、この情報によってコンテンツの種類を判定してもよい。映画コンテンツと音楽コンテンツとで、符号化に用いるビットレートが異なる場合に有効である。
【００５４】
また、入力部４１２は、画像符号化方式についての情報を抽出し、検出制御部４２２は、この情報によってコンテンツの種類を判定してもよい。映画コンテンツと音楽コンテンツとで、符号化に用いる画像符号化方式が異なる場合に有効である。
【００５５】
検出制御部４２２は、信号解析部４３２又は検出制御部４２２自身の判定により、入力されたデータのコンテンツが例えば音楽コンテンツであると判定された場合には、第１の著作権情報検出部４２４を動作させる。また、入力されたデータのコンテンツが例えば映画コンテンツであると判定された場合には、第２の著作権情報検出部４２６を動作させる。出力制御部２８は、第１及び第２の著作権情報検出部４２４，４２６の出力に従って出力制御信号ＣＳを生成する点の他は、図１の復号化装置の場合と同様である。
【００５６】
図８は、図７の第１及び第２の著作権情報検出部４２４，４２６が著作権情報を検出する処理を行う期間を示す説明図である。図８は、例えば、入力されたデータのコンテンツが音楽コンテンツであると判定された場合について示している。この場合には、第１の著作権情報検出部４２４のみを動作させる。信号解析部４３２又は検出制御部４２２の判定結果によっては、第１及び第２の著作権情報検出部４２４，４２６を共に動作させるようにしてもよい。
【００５７】
以上のように、図７の復号化装置によっても、２つの著作権情報検出部を常に動作させる必要がないので、演算量を抑えながら、２つの方式の著作権情報を検出することができる。
【００５８】
なお、出力制御部３２８と検出制御部３２２とを備えるものとして説明したが、これらを１つの制御部として実現してもよい。
【００５９】
また、以上の実施形態においては、復号化されたデータには２つの方式の著作権情報が埋め込まれており、それぞれ異なる方式の著作権情報を検出する２つの著作権情報検出部を備える場合について説明したが、復号化されたデータに３つ以上の方式の著作権情報が埋め込まれており、それぞれ異なる方式の著作権情報を検出する３つ以上の著作権情報検出部を備えるようにしてもよい。
【００６０】
また、図２，図４，図６，図８に、著作権情報を検出する処理を行う期間の例を示したが、各著作権情報を検出する処理を行う期間は、これらの例には限らない。
【００６１】
また、例として、ＤＶＤから読み出されたデータを対象として処理する場合について説明したが、これには限られず、その他の光ディスクやハードディスク等の他の記録媒体のデータ、半導体メモリから読み出されたデータ、放送されたデータ、ネットワーク経由で受け取ったデータ等を対象として処理するようにしてもよい。
【００６２】
以上の処理は、ハードウェアによって実現することはもちろん、プロセッサを用いてソフトウェアによって実現することも可能である。また、一部の処理をハードウェアによって行い、残りの処理をソフトウェアによって行うようにしてもよい。
【産業上の利用可能性】
【００６３】
以上説明したように、本発明は、演算量を抑えながら、複数の方式の著作権情報を検出することができるので、ＤＶＤプレーヤー等に有用であり、更に、その他の光ディスクプレーヤー、ハードディスクドライブプレーヤー、半導体プレーヤー、ネットワークプレーヤー等にも有用である。
【図面の簡単な説明】
【００６４】
【図１】本発明の第１の実施形態に係る復号化装置のブロック図である。
【図２】図１の第１及び第２の著作権情報検出部が著作権情報を検出する処理を行う期間を示す説明図である。
【図３】本発明の第２の実施形態に係る復号化装置のブロック図である。
【図４】図３の第１及び第２の著作権情報検出部が著作権情報を検出する処理を行う期間を示す説明図である。
【図５】本発明の第３の実施形態に係る復号化装置のブロック図である。
【図６】図５の第１及び第２の著作権情報検出部が著作権情報を検出する処理を行う期間を示す説明図である。
【図７】本発明の第４の実施形態に係る復号化装置のブロック図である。
【図８】図７の第１及び第２の著作権情報検出部が著作権情報を検出する処理を行う期間を示す説明図である。
【符号の説明】
【００６５】
１２，４１２  入力部
１４  復号部
１６  出力部
２２，２２２，３２２，４２２  検出制御部
２４，２２４，３２４，４２４  第１の著作権情報検出部
２６，２２６，３２６，４２６  第２の著作権情報検出部
２８  出力制御部
４３２  信号解析部
【図１】
2007047873.tif 000003
【図２】
2007047873.tif 000004
【図３】
2007047873.tif 000005
【図４】
2007047873.tif 000006
【図５】
2007047873.tif 000007
【図６】
2007047873.tif 000008
【図７】
2007047873.tif 000009
【図８】
2007047873.tif 000010